(57)【要約】      （修正有）【課題】像ぶれ補正のための補正手段の高精度、小型化、低コスト化を図る。【解決手段】レンズ系の一部を構成する補正レンズ１７を保持し、光軸と直交する平面上を直線的に移動するホルダ部材２２と、最外部品となるフレーム２４に取り付けられる移動部材２３と、ホルダ部材２２のフレーム２４に対する移動をガイドするガイド部４１と、ホルダ部材２２を駆動する駆動部とを備える。ガイド部４１は、移動部材２３に固定されるガイド軸と、フレーム２４に設けられガイド軸を支持する支持部４２ａとを有し、移動部材２３は、ガイド軸と一体となってフレーム２４に対して移動する。【選択図】図５
2010026399.tif 000002
【特許請求の範囲】
【請求項１】
レンズ系の一部を構成する補正レンズ又は撮像素子の何れかを保持し、該光軸と直交する平面上を直線的に移動するホルダ部材と、
上記ホルダ部材を支持し、最外部品となるフレームに取り付けられる移動部材と、
上記ホルダ部材の上記フレームに対する移動をガイドするガイド部と、
上記ホルダ部材を駆動する駆動部とを備え、
上記ガイド部は、上記移動部材に固定されるガイド軸と、上記フレームに設けられ該ガイド軸を支持する支持部とを有し、
上記移動部材は、上記ガイド軸と一体となって上記フレームに対して移動する像ぶれ補正装置。
【請求項２】
上記支持部は、上記ガイド軸の各先端部近傍が摺動する摺動孔を有する
請求項１記載の像ぶれ補正装置。
【請求項３】
上記ガイド軸の軸長は、上記フレームの上記支持部が形成された相対する外面間の距離から、該ガイド軸が移動可能な距離を減じた値より短い
請求項２記載の像ぶれ補正装置。
【請求項４】
上記ガイド軸の各先端部近傍に設けられる支持部間の最外距離は、上記フレームの該支持部が形成された相対する外面間の距離から、上記ガイド軸が移動可能な距離及び該ガイド軸の両先端部の値を減じた値より短い
請求項２記載の像ぶれ補正装置。
【請求項５】
レンズ系の一部を構成する補正レンズ又は撮像素子の何れかを保持し、該光軸と直交する平面上を直線的に移動するホルダ部材と、
上記ホルダ部材を支持し、最外部品となるフレームに取り付けられる移動部材と、
上記ホルダ部材の上記フレームに対する移動をガイドするガイド部と、
上記ホルダ部材を駆動する駆動部とを備え、
上記ガイド部は、上記移動部材に固定されるガイド軸と、上記フレームに設けられ該ガイド軸を支持する支持部とを有し、
上記移動部材は、上記ガイド軸と一体となって上記フレームに対して移動するレンズ鏡筒装置。
【請求項６】
レンズ系の一部を構成する補正レンズ又は撮像素子の何れかを保持し、該光軸と直交する平面上を直線的に移動するホルダ部材と、
上記ホルダ部材を支持し、最外部品となるフレームに取り付けられる移動部材と、
上記ホルダ部材の上記フレームに対する移動をガイドするガイド部と、
上記ホルダ部材を駆動する駆動部とを備え、
上記ガイド部は、上記移動部材に固定されるガイド軸と、上記フレームに設けられ該ガイド軸を支持する支持部とを有し、
上記移動部材は、上記ガイド軸と一体となって上記フレームに対して移動するカメラ装置。
【発明の詳細な説明】
【技術分野】
【０００１】
本発明は、撮像時の振動等によって発生する像ぶれを補正する像ぶれ補正装置、レンズ鏡筒装置及びカメラ装置に関する。
【背景技術】
【０００２】
現在、コンパクトカメラの小型化・高倍率・高画素化が要求されており、被写体を撮影する際には、手ぶれによる像ボケした画像を取得する頻度が増す。光学素子をシフトさせて、手ぶれを補正する手段としては、沈胴・折り曲げ光学系ともに、２方向の軸摺動を用いた機構が用いられている。例えば、従来の機構では、光学素子の重心が２方向の軸摺動を行う４本のガイド軸の内側となるように配置されている。
【０００３】
例えば、特許文献１では、補正レンズを保持するレンズ保持枠が、ピッチシャフトが設けられた第１の保持枠にピッチ方向に移動可能に支持され、この第１の保持枠が、ヨーシャフトが設けられた第２の保持枠にヨー方向に移動可能に支持されている。そして、レンズ保持枠に保持されている補正レンズは、一対のピッチシャフトと一対のヨーシャフトとで囲まれる領域に位置している。そして、ピッチ方向やヨー方向に移動する駆動部は、マグネットとヨークとで構成される磁気回路内にコイルを配置し、コイルに流れる電流と磁界との作用によって、ピッチ方向やヨー方向の推進力を発生するようにしている。
【０００４】
以上のような特許文献１では、補正レンズをピッチ方向に駆動するためのアクチュエータ及び補正レンズをヨー方向に駆動するためのアクチュエータのそれぞれにマグネットとヨークが必要となる上に、これらアクチュエータが補正レンズの四方を取り囲むように配置される構成となっている。このため、像ぶれ補正装置は、補正レンズの光軸と直交する方向に大きくなり、レンズ鏡筒やカメラ全体の大型化を招くとともに、部品点数が多くなり、これによってコストアップを招く。
【０００５】
また、光軸の中途部を９０度に折り曲げた折曲レンズ系において、特許文献１のように、４本のシャフトで囲まれる領域内に補正レンズを配置すると、厚み方向、すなわちレンズ鏡筒の光軸方向の更なる薄型化が困難となる。
【０００６】
また、４本のシャフトで囲まれる領域内に補正レンズを配置して、小型化や薄型化を図る場合には、保持枠の開口部の大きさを、光学有効径から逃げた大きさにする必要がある。しかしながら、小型化や薄型化を図るときには、開口部を、光学有効径から逃げた大きさに十分確保することができず、迷光成分等が光路中に侵入してしまい、ゴーストの発生原因となってしまう。
【０００７】
さらに、４本のシャフトで囲まれる領域内に補正レンズを配置したものは、像ぶれ補正ユニットとして構成され、このユニットを一単位としてレンズ鏡筒内に組み込まれる。しかしながら、このユニットは、レンズ鏡筒内に組み込まれることから、レンズ鏡筒を構成するレンズ鏡筒フレームの大きさに影響される。すなわち、このようなユニットにおけるレンズ保持枠に保持されている補正レンズは、一対のピッチシャフトと一対のヨーシャフトとを有し、可動範囲についても、レンズ鏡筒本体であるフレームの厚み分に影響されることになる。したがって、フレームの厚みによって可動範囲に制約を受け、可動範囲を十分に設けた場合には、小型化が困難となる。
【０００８】
また、このようなユニットにおけるピッチシャフトと一対のヨーシャフトは、シャフト両端において保持枠に固定され、レンズ保持枠に設けられるボスに形成された孔部が、摺動孔となり、シャフトの軸方向に摺動する。しかしながら、補正レンズの摺動方向は、シャフトの軸方向と、当該ボスに形成された摺動孔の軸方向との精度により、摺動方向の精度が決定されることから、摺動孔の精度も高精度なものとしないと、高精度な像ぶれを行うことができない。
【０００９】
【特許文献１】特許第２７２０９５５号公報
【発明の開示】
【発明が解決しようとする課題】
【００１０】
本発明は、以上のような課題に鑑みなされたものであり、像ぶれ補正のための補正手段の小型化や低コスト化を図るとともに、像ぶれ補正の補正精度を向上することのできる像ぶれ補正装置、レンズ鏡筒装置及びカメラ装置を提供することを目的とする。
【課題を解決するための手段】
【００１１】
上述の課題を解決するために、本発明に係る像ぶれ補正装置は、レンズ系の一部を構成する補正レンズ又は撮像素子の何れかを保持し、該光軸と直交する平面上を直線的に移動するホルダ部材と、上記ホルダ部材を支持し、最外部品となるフレームに取り付けられる移動部材と、上記ホルダ部材の上記フレームに対する移動をガイドするガイド部と、上記ホルダ部材を駆動する駆動部とを備える。そして、上記ガイド部は、上記移動部材に固定されるガイド軸と、上記フレームに設けられ該ガイド軸を支持する支持部とを有し、上記移動部材は、上記ガイド軸と一体となって上記フレームに対して移動する。
【００１２】
また、本発明に係るレンズ鏡筒装置は、レンズ系の一部を構成する補正レンズ又は撮像素子の何れかを保持し、該光軸と直交する平面上を直線的に移動するホルダ部材と、上記ホルダ部材を支持し、最外部品となるフレームに取り付けられる移動部材と、上記ホルダ部材の上記フレームに対する移動をガイドするガイド部と、上記ホルダ部材を駆動する駆動部とを備える。そして、上記ガイド部は、上記移動部材に固定されるガイド軸と、上記フレームに設けられ該ガイド軸を支持する支持部とを有し、上記移動部材は、上記ガイド軸と一体となって上記フレームに対して移動する。
【００１３】
さらに、本発明に係るカメラ装置は、レンズ系の一部を構成する補正レンズ又は撮像素子の何れかを保持し、該光軸と直交する平面上を直線的に移動するホルダ部材と、上記ホルダ部材を支持し、最外部品となるフレームに取り付けられる移動部材と、上記ホルダ部材の上記フレームに対する移動をガイドするガイド部と、上記ホルダ部材を駆動する駆動部とを備える。そして、上記ガイド部は、上記移動部材に固定されるガイド軸と、上記フレームに設けられ該ガイド軸を支持する支持部とを有し、上記移動部材は、上記ガイド軸と一体となって上記フレームに対して移動する。
【発明の効果】
【００１４】
本発明によれば、ガイド部が、移動部材に固定されるガイド軸と、フレームに設けられガイド軸を支持する支持部とを有し、移動部材が、ガイド軸と一体となってフレームに対して移動するので、装置全体の薄型化や小型化を図ることができるとともに、高精度に補正を行うことができる。
【発明を実施するための最良の形態】
【００１５】
以下、本発明が適用されたディジタルスチルカメラ１について図面を参照し手説明する。なお、以下、ディジタルスチルカメラ１を単にカメラ１という。
【００１６】
(１)ディジタルスチルカメラの外観構成
図１乃至図３に示すように、本発明が適用されたカメラ１は、情報記録媒体として半導体記録メディアを使用し、被写体からの光学的な画像を撮像素子（ＣＣＤ（Charge-Coupled Devices）、ＣＭＯＳ（Complementary Metal-Oxide Semiconductor）等）で電気的な信号に変換して、半導体記録メディアに記録したり、液晶ディスプレイ等の表示装置に表示できるようにする。
【００１７】
このカメラ１は、横長とされた扁平のカメラ本体２を有している。このカメラ本体２の前面には、上側コーナ部に、レンズ部３が設けられている。このレンズ部３は、カメラ本体２の前面に、上下方向にスライド可能に取り付けられたレンズカバー４によって開閉され、撮影時、レンズカバーが下方に下がることによってレンズ部３が外部に臨まされるようになっている。また、レンズ部３の近傍には、レンズ部３とともに、レンズカバー４によって開閉されるフラッシュ５が設けられている。
【００１８】
カメラ本体２の背面には、ＬＣＤ、有機ＥＬディスプレイ等でなる表示部６が設けられている。この表示部６には、撮像素子が取り込んでいる被写体を表示するとともに、撮像した画像データ等を表示する。
【００１９】
また、カメラ本体２の背面には、各種の操作スイッチが設けられている。操作スイッチとしては、機能モード（静止画、動画、再生等）を選択するモード選択ツマミ７ａ、ズーム操作を実行するズームボタン７ｂ、画面表示を行う画面表示ボタン７ｃ、各種メニューを選択するメニューボタン７ｄ、メニューを選択するカーソル等を移動させる方向キー７ｅ、画面サイズを切り換えたり画像削除を行う画面ボタン７ｆ等が配置されている。
【００２０】
また、カメラ本体２の上面には、電源をオン・オフさせる電源ボタン７ｇ、記録すなわち撮影の開始や停止を実行する記録ボタン７ｈ、手ぶれが生じたときに像ぶれ補正を動作させて像ぶれ補正を実行する手ぶれ設定ボタン７ｉ等が設けられている。
【００２１】
なお、カメラ本体２の内部は、鏡筒、バッテリ、マイク、スピーカ等の部品が内蔵されている。
【００２２】
（２）レンズ鏡筒の構成
図４に示すように、カメラ１のレンズ鏡筒１０には、複数のレンズが保持されている。このレンズ鏡筒１０が保持するレンズ系は、５組のレンズ群を同一光軸Ｌ上に配置した５群レンズ１１〜１５からなる折曲レンズ系であり、５群レンズ１１〜１５のうち、先端側に位置する１群レンズ１１は、被写体に対向される対物レンズである第１のレンズ１１ａと、この対物レンズとなる第１のレンズ１１ａの被写体と反対側に配置されるプリズム１１ｂと、このプリズム１１ｂに対向される第２のレンズ１１ｃとによって構成されている。プリズム１１ｂは、断面形状が直角二等辺三角形をなす三角柱体からなり、略９０度回転変位した位置に隣り合う２つの面の一方に対物レンズとなる第１のレンズ１１ａが対向され、他方の面に第２のレンズ１１ｃが対向されている。
【００２３】
この折曲レンズ系は、プリズム１１ｂによって光軸Ｌが略９０度に折り曲げられている。これにより、対物レンズである第１のレンズ１１ａ側に第１の光軸Ｌ１が設定され、その第１の光軸Ｌ１と直交する方向（９０度交差した方向）にある撮像素子１８（結像）側に第２の光軸Ｌ２が設定される。
【００２４】
この１群レンズ１１では、対物レンズである第１のレンズ１１ａを透過しプリズム１１ｂに入射し、第１の光軸Ｌ１に対して４５度に傾斜した反射面で反射されて進行方向を略９０度折曲げられて出射され第２のレンズ１１ｃを透過し、第２の光軸Ｌ２に沿って２群レンズ１２に向かって進行する。２群レンズ１２は、ズーム調整のためのいわゆる可動レンズ群であり、第３のレンズ１２ａと第４のレンズ１２ｂとの組み合わせからなり、第２の光軸Ｌ２上をテレ及びワイド方向に移動する。この２群レンズ１２を透過した光は、３群レンズ１３に入射される。
【００２５】
３群レンズ１３は、レンズ鏡筒１０に固定される第５のレンズからなっている。３群レンズ１３の後方には、第６のレンズからなる４群レンズ１４が配置されている。この４群レンズ１４と３群レンズ１３の間には、レンズ系を通過する光の量を調整可能な絞り機構１６が配置されている。４群レンズ１４は、フォーカス調整のためのいわゆる可動レンズ群であり、第２の光軸Ｌ２上を移動可能に構成されている。４群レンズ１４の後方には、第７のレンズ１５ａと後述する補正レンズ１７とからなる５群レンズ１５が配置されている。５群レンズ１５のうち第７のレンズ１５ａは、レンズ鏡筒に固定されており、この第７のレンズ１５ａの後方に補正レンズ１７が移動可能に配置され、更に、補正レンズ１７の後方に撮像素子１８が配置されている。
【００２６】
２群レンズ１２と４群レンズ１４は、それぞれ別個独立に第２の光軸Ｌ２に沿ってテレ方向とワイド方向に移動する。この２群レンズ１２と４群レンズ１４は、テレ又はワイド方向に移動することによって、ズーム調整とフォーカス調整を行う。すなわち、ズーム時には、２群レンズ１２と４群レンズ１４をワイド（広角）からテレ（望遠）まで移動することによってズーム調整を行う。また、フォーカス時には、４群レンズ１４をワイド（広角）からテレ（望遠）まで移動することによってフォーカス調整を実行する。
【００２７】
撮像素子１８は、撮像素子用アダプタに固定されており、この撮像素子用アダプタを介してレンズ鏡筒に取り付けられている。撮像素子１８の前側には、光学フィルタ１９が配置されており、この光学フィルタ１９と第７のレンズ１５ａとの間に、補正レンズ１７を有する像ぶれ補正機構２０が配設されている。詳細は後述する像ぶれ補正機構２０は、レンズ系の振動等による撮影画像（像）のぶれを補正する。補正レンズ１７は、通常の状態では、その光軸を第２の光軸Ｌ２と一致させるように取り付けられている。そして、カメラ本体２の振動等によって撮像素子１８の結像面に像のぶれが生じたときに、像ぶれ補正機構が補正レンズ１７を第２の光軸Ｌ２と直交する２方向（第１の方向Ｘ（ヨー方向）及び第２の方向Ｙ（ピッチ方向））に移動させて結像面の像ぶれを補正する。この像ぶれ補正機構２０は、補正レンズ１７のみを光軸上に配置し、補正レンズ１７を第１の方向Ｘと第２の方向Ｙに移動するガイド機構や駆動機構は、補正レンズ１７の外側に配置されている。
【００２８】
（３）像ぶれ補正機構の構成
像ぶれ補正機構２０は、図５乃至図８に示すように、固定部材２１と、固定部材２１に対して、光軸と直交する平面上を互いに直交する第１の方向Ｘと第２の方向Ｙに移動するとともに上述した補正レンズ１７を保持するレンズホルダ部材２２と、固定部材２１とレンズホルダ部材２２との間に配設され、レンズホルダ部材２２を支持する移動部材２３とを備えている。
【００２９】
固定部材２１は、図６及び図７に示すように、フレーム２４に取り付けられるようになっている。フレーム２４は、金属板等を折曲して略矩形に形成されたものであって、底面に、固定部材２１がねじ等で固定されるとともに、この固定部材２１上に、レンズホルダ部材２２と移動部材２３が移動可能に取り付けられる。なお、固定部材２１は、上述のように、フレーム２４に固定されるものに限らず、フレーム２４と一体に形成されるものであってもよい。
【００３０】
固定部材２１上に配設されるレンズホルダ部材２２は、一端部に、補正レンズ１７を保持するレンズ保持部２５が形成されている。レンズ保持部２５は、厚さ方向に貫通して形成され、ここに、補正レンズ１７が取り付けられる。
【００３１】
このレンズ保持部２５の反対側の他端部には、このレンズホルダ部材２２を、互いに直交する第１の方向と第２の方向に移動させるための駆動機構３０を構成する磁気回路が配設される部品配設部２６が設けられている。
【００３２】
この部品配設部２６に配設される磁気回路は、マグネット２７，２８と、マグネット２７，２８とが取り付けられるヨーク２９とを有する。ヨーク２９は、全体が略Ｕ字状に形成され、相対する片の内側に、マグネット２７，２８とがＮ極とＳ極とが対向するように取り付けられる。そして、ヨーク２９に取り付けられることによって互いに離間したマグネット２７，２８の間には、第１の方向の推進力を発生させる第１のコイル３１と第２の方向の推進力を発生させる第２のコイル３２,３２が挿入される。
【００３３】
第１のコイル３１と第２のコイル３２とは、フレーム２４に取り付けられるプリント配線基板３４に設けられる。第１のコイル３１は、マグネット２７,２８の発生する磁力との作用で第１の方向の推進力を発生する。この第１のコイル３１は、筒状コイルであって、プリント配線基板３４の一方の面に接着剤等によって固定される。また、第２のコイル３２，３２は、マグネット２７、２８の発生する磁力との作用で第２の方向の推進力を発生する。第２のコイル３２，３２は、共に扁平コイルであって、プリント配線基板３４の他方の面側に接着剤等によって固定される。第２のコイル３２，３２は、共に、直線部分が平行になるように並べられ、隣接する直線部分に同方向の駆動電流が流れるようにし、マグネット２７、２８の発生する磁力との作用で第２の方向の駆動力を発生する。第１のコイル３１、第２のコイル３２，３２が設けられたプリント配線基板３４は、フレーム２４に組み付けられることによって、マグネット２７，２８の間に挿入される。なお、第２のコイル３２，３２は、同じ大きさでも、異なる大きさであっても良い。
【００３４】
また、プリント配線基板３４には、第１の方向と第２の方向の移動量を検出する位置検出素子となる第１及び第２のホール素子３５ａ，３５ｂが設けられている。第１及び第２のホール素子３５ａ，３５ｂは、マグネット２７と対向する位置に設けられている。第１のホール素子３５ａは、マグネット２７の磁力を検出し、レンズホルダ部材２２の第１の方向の移動量を検出する。また、第２のホール素子３５ｂは、マグネット２７の磁力を検出し、レンズホルダ部材２２の第２の方向の移動量を検出する。
【００３５】
以上のように、マグネット２７，２８、ヨーク２９、第１及び第２のコイル３１，３２で構成される駆動機構３０は、図９及び図１０に示すように、第１及び第２のコイル３１，３２が設けられたプリント配線基板３４が取り付けられたフレーム２４が固定部となり、マグネット２７，２８、ヨーク２９が設けられたレンズホルダ部材２２が第１の方向及び第２の方向に移動する可動部となる。そして、この駆動機構３０は、フレーム２４に取り付けられるカバー３３によって閉塞される。
【００３６】
なお、駆動機構としては、以上のような構成に限定されるものではなく、例えば、マグネットをフレーム２４側に設け、レンズホルダ部材２２側にコイルを設けるようにしても良い。また、駆動機構としては、駆動源にステッピングモータ、ＰＺＴ素子、リニア駆動等を用いたものであっても良い。
【００３７】
固定部材２１とレンズホルダ部材２２との間に配設される移動部材２３は、図９に示すように、レンズホルダ部材２２との間に、レンズホルダ部材２２を第１の方向に移動する際のガイドをする第１のガイド機構３６が設けられ、固定部材２１との間に、レンズホルダ部材２２を第２の方向に移動する際のガイドをする第２のガイド機構４１が設けられている。この移動部材２３は、レンズホルダ部材２２を支持する支持部材であり、固定部材２１に対して、移動することで、レンズホルダ部材２２を移動させる。
【００３８】
第１のガイド機構３６は、第１の方向に平行に配設される第１のガイド軸３７，３８と、一方の第１のガイド軸３７が挿入される移動部材２３に設けられる第１のガイド孔３９と、他方の第１のガイド軸３８に係合されるレンズホルダ部材２２に設けられる第１の係合片４０とを備える。
【００３９】
一方の第１のガイド軸３７は、主軸となるものであり、レンズホルダ部材２２に設けられた支持片３７ａ,３７ａに両端部が支持されている。主軸となる第１のガイド軸３７は、図６乃至図８に示すように、移動部材２３に設けられた第１のガイド孔３９に挿入される。他方の第１のガイド軸３８は、主軸となる第１のガイド軸３７に対して副軸となり、第１のガイド軸３７より短く形成されている。他方の第１のガイド軸３８は、移動部材２３に設けられた支持片３８ａ,３８ａに両端部が支持されている。他方の第１のガイド軸３８は、レンズホルダ部材２２に設けられた一対の片でＵ字溝を形成する第１の係合片４０が係合される。
【００４０】
第２のガイド機構４１は、第２の方向に平行に配設される第２のガイド軸４２，４３と、一方の第２のガイド軸４２が挿入される移動部材２３に設けられる第２のガイド孔４４と、他方の第２のガイド軸４３に係合される移動部材２３に設けられる第２の係合片４５とを備える。
【００４１】
一方の第２のガイド軸４２は、主軸となるものであり、フレーム２４の両側面に設けられた支持孔４２ａ，４２ａにおいてその両先端部４２ｂ，４２ｂ近傍が支持されている。主軸となる第２のガイド軸４２は、図６、図８、図９に示すように、移動部材２３に設けられた第２のガイド孔４４に挿入され、固定される。他方の第２のガイド軸４３は、主軸となる第２のガイド軸４２に対して副軸となり、第２のガイド軸４２より短く形成されている。他方の第２のガイド軸４３は、固定部材２１に設けられた支持片４３ａ,４３ａに両先端部が支持されている。他方の第２のガイド軸４３は、移動部材２３に設けられた一対の片でＵ字溝を形成する第２の係合片４５が係合される。
【００４２】
第２のガイド軸４２を支持する支持部となる支持孔４２ａ、４２ａは、図５、図１１及び図１２に示すように、フレーム２４の外側から内側に向かって、大径の第１の凹部６１と、小径の第２の凹部６２とが連続して形成され、中央部に摺動孔６３が形成されている。支持孔４２ａの第１の凹部６１及び第２の凹部６２は、例えば、像ぶれ補正機構２０を組み立てる際に第２のガイド軸４２をフレーム２４を介して移動部材２３に組み付けるための治具等が挿入されるための凹部である。摺動孔６３は、第２のガイド軸４２が、挿通され摺動する孔であり、その径は、第２のガイド軸４２と略同一である。また、摺動孔６３、６３は、それぞれの中心を結ぶ方向が、第２のガイド軸４２の摺動方向となるように、すなわち、第２の方向と一致するように形成されている。なお、支持孔４２ａ，４２ａは、摺動孔６３，６３に限らず、例えば、Ｕ字状の切欠きであってもよい。
【００４３】
第２のガイド軸４２は、その軸長をＣとしたとき、図１１（Ｂ）に示すように、フレーム２４の支持孔４２ａ，４２ａが形成された両側面の外側距離、すなわちフレーム２４の支持孔４２ａ，４２ａが形成された相対する外面２４ａ，２４ａ間の距離をＡとし、第２のガイド軸４２の像ぶれストローク長をＢとすると、Ａ−２Ｂ＞Ｃの関係を満たす。すなわち、第２のガイド軸４２は、フレーム４２内にあり、像ぶれを補正するにあたり移動できる距離を考慮した場合における最大長さは、略（Ａ−２Ｂ）となる。
【００４４】
なお、像ぶれストローク長とは、第２のガイド軸４２をフレーム２４の両側面間の中心位置にあるときの像ぶれ補正より移動可能な一方側面側への移動長さである。すなわち、第２のガイド軸４２が移動可能な距離は、像ぶれストローク長の２倍にあたる。また、この像ぶれストローク長は、後述するレンズホルダ部材２３の規制突起５１による規制量によって決定される。
【００４５】
また、第２のガイド軸４２を支持する支持孔４２ａ，４２ａは、摺動孔６３，６３の最外距離をＤとすると、Ｄ＜Ａ−４Ｂの関係を満たす位置に形成されている。すなわち、第２のガイド軸４２を支持する摺動孔６３，６３の最大距離は、略（Ａ−４Ｂ）となる。
【００４６】
また、第２のガイド軸４２は、両先端部４２ｂ，４２ｂが製造過程において形成される丸み等を帯びており、軸径と誤差がある。この第２のガイド軸４２の先端部４２ｂ，４２ｂにおける製造誤差についても、当該第２のガイド軸４２の移動方向に誤差を与える要因となることから、この誤差をＲとし、この誤差Ｒ分も考慮すると、摺動孔６３，６３の最外距離Ｄは、Ｄ＜Ａ−４Ｂ−２Ｒの関係を満たす。すなわち、先端部４２ｂ，４２ｂにおける誤差Ｒを考慮に入れると、第２のガイド軸４２を支持する摺動孔６３，６３の最大距離は、略（Ａ−４Ｂ−２Ｒ）となる。
【００４７】
ここで、図５及び図１３に示すように、像ぶれ補正機構２０は、レンズ鏡筒に組み付けられたとき、レンズホルダ部材２２のレンズ保持部２５に保持された補正レンズ１７のみが光軸に位置し、その他の部分、すなわち駆動機構３０や第１及び第２のガイド機構３６，４１が、レンズ保持部２５の外側、ここでは長手方向（第１の方向）においてレンズ保持部２５とは反対側に設けられる。したがって、像ぶれ補正機構２０は、複数のレンズが並ぶ光軸Ｌ２上において、薄型化を図ることができる。また、駆動機構３０を構成する第１のコイル３１と２つ並んだ第２のコイル３２,３２の中心Ｏ（図１３参照）、すなわち第１の方向と第２の方向に推進力を発生する駆動中心を、第１のガイド機構３６の第１のガイド軸３７，３８と第２のガイド機構４１の第２のガイド軸４２，４３とで囲まれる領域の中心と略一致するようにしている。このため、像ぶれ補正機構２０では、第１及び第２の方向に駆動力を発生する部分と第１のガイド軸３７，３８と第２のガイド軸４２，４３との位置が近づき、第１及び第２の方向に移動する際の推進力（駆動力）を小さくすることができ、省電力化を図ることができる。
【００４８】
また、像ぶれ補正機構２０は、第２のガイド軸４２の移動方向を規制する支持孔４２ａ，４２ａの摺動孔６３，６３が、第２のガイド軸４２を保持する移動部材２３に設けられる第２のガイド孔４４の軸方向において外側に形成されている。このことから、ガイド方向の規制部材となる支持孔４２ａ，４２ａの摺動孔６３，６３の形成位置は、摺動孔６３，６３同士が離間している方が、その製造誤差による影響が少ない。さらに、像ぶれ補正機構２０は、第２のガイド軸４２の軸長ＣをＡ−２Ｂとし、支持孔４２ａ、４２ａの摺動孔６３，６３の最外距離ＤをＡ−４Ｂとすることで、同じ大きさのフレーム２４内に配設される像ぶれ補正機構２０を容易に高精度なものとすることができる。
【００４９】
以上のような、像ぶれ補正機構２０は、固定部材２１が組み込まれたフレーム２４に、第１及び第２のガイド機構３６，４１を組み込み、更に、移動部材２３や磁気回路部が部品配設部２６に組み込まれたレンズホルダ部材２２を組み込み、更に、カバー３３で駆動機構３０を覆うと、ビス４７がカバー３３の挿通孔４７ａ及びフレーム２４の挿通孔４７ｂに挿通され、鏡筒のフレームにビス止めされる。また、フレーム２４は、ビス４８がフレーム２４の挿通孔４８ａに挿通されることによって鏡筒のフレームにビス止めされる。
【００５０】
ところで、図８に示すように、レンズホルダ部材２２の固定部材２１側の面であって第１のガイド機構３６及び第２のガイド機構４１に囲まれる領域には、レンズホルダ部材２２の第１の方向と第２の方向の移動量を規制する規制突起５１が形成されている。この規制突起５１は、移動部材２３に形成された貫通孔５２を介して固定部材２１にまで臨み、固定部材２１に形成された規制孔５３に係合される。レンズホルダ部材２２は、駆動機構３０によって、第１の方向と第２の方向に移動することになるが、この際の各方向の移動は、レンズホルダ部材２２の規制突起５１が規制孔５３の内周面に突き当たることによって規制される。
【００５１】
次に、以上のように構成された像ぶれ補正機構２０の動作について説明する。先ず、駆動機構３０が駆動していない場合、レンズホルダ部材２２の補正レンズ１７は光軸に一致した中間位置の状態にある。
【００５２】
そして、この中間位置からレンズホルダ部材２２が第１の方向の一側に移動する場合、駆動機構３０の第１のコイル３１に一方向に流れる駆動電流が供給される。すると、駆動機構３０は、一方向に流れる駆動電流とマグネット２７，２８の発生する磁力との作用によって、レンズホルダ部材２２が第１の方向の一方に移動する推進力を発生する。ここで、移動部材２３は、第２のガイド機構４１によって固定部材２１に対して第１の方向に移動しないようになっている。このため、レンズホルダ部材２２は、固定部材２１と一体的になっている移動部材２３に対して、第１のガイド機構３６にガイドされて一方向に移動する。なお、レンズホルダ部材２２を第１の方向の他方の側に移動させる場合には、第１のコイル３１に駆動電流を逆向きに供給すれば良い。
【００５３】
また、この中間位置からレンズホルダ部材２２が第２の方向の一側に移動する場合、駆動機構３０の第２のコイル３２，３２に一方向に流れる駆動電流が供給される。すると、駆動機構３０は、一方向に流れる駆動電流とマグネット２７，２８の発生する磁力との作用によって、レンズホルダ部材２２が第２の方向の一方に移動する推進力を発生する。ここで、レンズホルダ部材２２は、第１のガイド機構３６によって移動部材２３に対して第２の方向に移動しないようになっている。このため、レンズホルダ部材２２は、移動部材２３と一体的に、第２のガイド機構４１にガイドされて一方向に移動する。
【００５４】
すなわち、第２の方向への移動は、駆動機構３０が駆動していない場合、図１１に示すように、レンズホルダ部材２２の補正レンズ１７が光軸に一致した中間位置の状態にある。このとき、第２のガイド軸４２は、第２の方向におけるフレーム２４の略中央に位置し、軸の両先端部４２ｂ，４２ｂが、フレーム２４の外面２４ａから略ストローク長Ｂだけ残した位置にある。そして、駆動機構３０が駆動された場合、図１２に示すように、レンズホルダ部材２２が第１のガイド機構３６によって移動部材２３と一体となって、第２の方向に移動する。このとき、第２のガイド軸４２は、第２の方向に最大ストローク長Ｂだけ移動することができる。したがって、この最大ストローク長Ｂだけ移動した場合、第２のガイド軸４２の先端部４２ｂは、フレーム２４の外面２４ａと略面一となる位置まで移動する。すなわち、第２のガイド軸４２は、フレーム２４の外面２４ａから突出することがない。このため、像ぶれ補正機構２０を備えるレンズ鏡筒をカメラ本体に組み込んだ際に、レンズ鏡筒周辺の部品の配置設計が容易になる。なお、レンズホルダ部材２２を第２の方向の他方の側に移動させる場合には、第２のコイル３２,３２に駆動電流を逆向きに供給すれば良い。また、第２のガイド軸４２の先端部４２ｂは、フレーム２４の外面２４ａと略面一となる位置まで移動することに限らず、フレーム２４の外面２４ａより内側の所定の位置まで移動するものであってもよい。
【００５５】
以上のように構成された像ぶれ補正機構２０によれば、レンズホルダ部材２２の補正レンズ１７を保持しているレンズ保持部２５の周囲に、第１及び第２のガイド機構３６，４１が設けられておらず、光路中に補正レンズ１７が位置するのみであることから、レンズ鏡筒の薄型化や小型化を図ることができる。また、第２のガイド軸４２を支持する支持孔４２ａ，４２ａの摺動孔６３，６３は、離間して形成されていることから、摺動孔６３，６３のそれぞれの中心を結ぶ方向、すなわち、第２の方向の許容される誤差が、摺動孔６３，６３が近接している場合と比して大きくとれるので、容易に高精度な補正を行うことができる。また、像ぶれ補正機構２０では、構造的に無理なく薄型化を図ることができることから、迷光成分等が光路中に侵入し、ゴーストが発生することを防止することができる。
【００５６】
なお、像ぶれ補正機構２０では、第２の方向の第２のガイド軸４２について、フレーム２４における支持孔４２ａ，４２ａの形成位置を述べたが、これに限らず、第１の方向の移動をガイドする第１のガイド機構３６においても、上述のように、ガイド軸を支持する支持部を離間させ、高精度なものとするようにしてもよい。
【００５７】
（４）カメラ及び像ぶれ補正機構の回路構成
図１４は、上述したような像ぶれ補正機構２０を備えたカメラ１のブロック図である。このカメラ１は、像ぶれ補正機構２０を有するレンズ鏡筒等全体の動作を制御する制御部７１と、制御部７１を駆動するためのプログラムメモリやデータメモリ、その他のＲＡＭやＲＯＭ等を有する記憶部７２と、電源のオン・オフや撮影モードの選択或いは撮影等のための各種の指令信号等を入力する操作部７３と、撮影された映像等を表示する表示部７４と、記憶容量を拡大する外部メモリ７５等を備える。
【００５８】
制御部７１は、例えば、マイクロコンピュータ（ＣＰＵ）を有する演算回路等を備えている。この制御部７１には、記憶部７２と操作部７３とアナログ信号処理部７６とデジタル信号処理部７７とＡ／Ｄ変換器７８とＤ／Ａ変換器８１とタイミングジェネレータ（ＴＧ）８２とが接続されている。アナログ信号処理部７６は、撮像素子１８に接続されており、この撮像素子１８から出力される撮影画像に対応したアナログ信号によって所定の信号処理を実行する。このアナログ信号処理部７６はＡ／Ｄ変換器７８に接続されており、このＡ／Ｄ変換器７８によって出力がデジタル信号に変換される。
【００５９】
Ｄ／Ａ変換器８１には、像ぶれ補正のためのサーボ演算を行う駆動制御部８４が接続されている。駆動制御部８４は、補正レンズ１７の位置に応じて像ぶれ補正機構２０を駆動制御して像ぶれを補正する。駆動制御部８４には、像ぶれ補正機構２０の駆動機構３０のレンズホルダ部材２２に取り付けられているマグネット２７，２８の磁力を検出することによってレンズホルダ部材２２の第１の方向と第２の方向の位置を検出する位置検出部となる第１のホール素子３５ａと第２のホール素子３５ｂとが接続されている。なお、タイミングジェネレータ（ＴＧ）８２は、撮像素子１８と接続されている。
【００６０】
かくして、被写体の像がレンズ系を介して撮像素子１８の結像面に結像されると、その画像信号がアナログ信号として出力され、アナログ信号処理部７６で所定の処理が実行された後、Ａ／Ｄ変換器７８によってデジタル信号に変換される。Ａ／Ｄ変換器７８からの出力は、デジタル信号処理部７７で所定の処理が実行された後、被写体に対応した画像として表示部７４に表示され、或いは外部メモリ７５に記憶情報として記憶される。
【００６１】
このような撮影状態において、像ぶれ補正機構２０は、動作状態にあり、カメラ本体２に振れや揺れ等が生じると、ジャイロセンサ８３がその振れや揺れ等を検出し、その検出信号を駆動制御部８４に出力する。駆動制御部８４では、所定の駆動信号を像ぶれ補正機構２０の駆動機構３０の第１及び第２のコイル３１，３２に駆動電流を供給し、レンズホルダ部材２２を固定部材２１に対して第１の方向と第２の方向に移動する。これにより、補正レンズ１７が移動することになり、像ぶれが解消され、綺麗な画像を得ることができる。
【００６２】
以上の説明では、像ぶれを補正するために、撮像素子１８上に設けた補正レンズ１７を動かすために像ぶれ補正機構２０を設けたが、本発明では、これとは逆に、図１５に示すように、撮像素子１８に、像ぶれ補正機構２０を設けるようにしても良い。この場合、像ぶれ補正機構２０におけるレンズホルダ部材２２には、補正レンズ１７に代わって撮像素子１８が保持されることになる。また、レンズ鏡筒内からは、補正レンズ１７が省略されることになる。
【００６３】
次に、像ぶれ補正機構２０の制御を行う駆動制御部８４の回路構成を説明する。
【００６４】
図１６に示すように、駆動制御部８４は、像ぶれ補正演算部９１とアナログサーボ部９２と駆動回路部９３と４つの増幅器（ＡＭＰ）９４ａ，９４ｂ，９５ａ，９５ｂ等を備えている。像ぶれ補正演算部９１には、第１の増幅器（ＡＭＰ）９４ａを介して第１のジャイロセンサ８３ａが接続されているとともに、第２の増幅器（ＡＭＰ）９４ｂを介して第２のジャイロセンサ８３ｂが接続されている。
【００６５】
第１のジャイロセンサ８３ａは、カメラ本体２に付加された手ぶれ等による第１の方向の変位量を検出し、第２のジャイロセンサ８３ｂは、カメラ本体２に付加された手ぶれ等による第２の方向の変位量を検出する。なお、ここでは、２個のジャイロセンサを設けて第１の方向の変位量と第２の方向の変位量を個別に検出する例について説明したが、１個のジャイロセンサで第１の方向及び第２の方向の２方向の変位量を検出するようにしても良い。
【００６６】
像ぶれ補正演算部９１には、アナログサーボ部９２が接続されている。アナログサーボ部９２は、像ぶれ補正演算部９１により算出された値をデジタル値からアナログ値に変換し、そのアナログ値に対応した制御信号を出力する。アナログサーボ部９２には、駆動回路部９３が接続されている。駆動回路部９３には、第３の増幅器（ＡＭＰ）９５ａを介して第１の位置検出部である第１のホール素子３５ａが接続されるとともに、第４の増幅器（ＡＭＰ）９５ｂを介して第２の位置検出部である第２のホール素子３５ｂが接続されている。更に、駆動回路部９３には、駆動機構３０の第１及び第２のコイル３１，３２が接続されている。
【００６７】
第１のホール素子３５ａによって検出されたレンズホルダ部材２２の第１の方向の変位量は、第３の増幅器９５ａを介して駆動回路部９３に入力される。また、第２のホール素子３５ｂによって検出されたレンズホルダ部材２２の第２の方向の変位量は、第４の増幅器９５ｂを介して駆動回路部９３に入力される。これらの入力信号とアナログサーボ部９２からの制御信号に基づいて駆動回路部９３では、像ぶれを補正するように補正レンズ１７又は撮像素子１８を移動するため、第１のコイル３１と第２のコイル３２の一方又は両方に対して所定の駆動電流を供給する。
【００６８】
（５）変形例
以上、本発明を適用した像ぶれ補正機構２０として、レンズホルダ部材２２を、移動部材２３と軸を用いた第１及び第２のガイド機構３６，４１を用いて固定部材２３に対して移動する場合を説明したが、本発明では、固定部材２３がフレーム２４と一体に形成されるものであってもよい。
【００６９】
すなわち、図１７（Ａ）に示す像ぶれ補正機構１００では、フレーム１０１が設けられているだけで、固定部材２１が設けられていない。このフレーム１０１は、下ケース１０１ａと上カバー１０１ｂとからなり、レンズ鏡筒の本体ケースをなす。フレーム１０１の下ケース１０１ａには、例えば、図４において説明したレンズ群１１〜１５が搭載されてなる。
【００７０】
フレーム１０１の上カバー１０１ｂ及び下ケース１０１ａには、第２のガイド機構４１の第２のガイド軸４２，４３を支持する支持孔１０２、１０２が設けられる。支持孔１０２、１０２は、図１７（Ｂ）に示すように、像ぶれ補正機構２０の支持孔４２ａ、４２ａと同様の形状を有し、第２のガイド軸４２が摺動する摺動孔１０３を備える。
【００７１】
像ぶれ補正機構１００が搭載されるフレーム１０１には、図１７（Ａ）に示すように、レンズ群１１〜１５、撮像素子１８が保持されている。５群レンズ１１〜１５のうち、先端側に位置する１群レンズ１１は、対物レンズである第１のレンズ１１ａと、光軸を略９０度折曲げるプリズム１１ｂと、第２のレンズ１１ｃとから構成されている。１群レンズ１１は、フレーム１０１に取り付けられている。
【００７２】
２群レンズ１２は、ズーム調整のためのいわゆる可動レンズ群であり、２群レンズ保持枠１０４に保持されている。２群レンズ保持枠１０４は、一対のガイド軸１０５、１０５にガイドされ、ガイド軸１０５と連結された２群駆動部１０６により、光軸上をテレ及びワイド方向に移動する。この２群レンズ１２を透過した光は、３群レンズ１３に入射される。
【００７３】
３群レンズ１３は、フレーム１０１に固定された３群レンズ保持枠１０７に保持されている。３群レンズ１３の後方には、４群レンズ１４が配置されている。４群レンズ１４は、フォーカス調整のためのいわゆる可動レンズ群であり、４群レンズ保持枠１０８に保持されている。４群レンズ保持枠１０８は、一対のガイド軸１０９，１０９にガイドされ、光軸上をテレ及びワイド方向に移動する。この４群レンズ１４を透過した光は、５群レンズ１５に入射される。
【００７４】
５群レンズ１５は、フレーム１０１に固定されたレンズ保持枠１１１に保持されるレンズ１５ａと、像ぶれ補正機構１００の補正レンズ１７とからなる。この５群レンズ１５を透過した光は、後方に撮像素子１８が配置されている。
【００７５】
このように、フレーム１０１には、レンズ系の一部を構成するレンズ群１１〜１５及び撮像素子１８が組み付けられている。すなわち、下ケース１０１ａ内に、１群レンズ１１と、２群レンズ１２と、３群レンズ１３と、４群レンズ１４とが組み付けられている。また、下ケース１０１ａ内には、５群レンズ１５のレンズ１５ａと、補正レンズ１７を光軸と直交する方向に移動させる像ぶれ補正機構１００とが組み付けられている。そして、フレーム１０１の上カバー１０１ｂは、下カバー１０１ａを覆うことで、支持孔１０２，１０２のそれぞれに、像ぶれ補正機構１００の第２のガイド軸４２、４３が支持され、レンズ鏡筒を形成する。なお、像ぶれ補正機構１００の第２のガイド軸４２，４３は、一端部においては上カバー１０１ｂの支持孔１０２，１０２に支持されており、他端部においては、下ケース１０１ａに形成された支持孔１０２と同様の構成の支持孔（不図示）により支持されている。
【００７６】
この像ぶれ補正機構１００は、他のレンズ群１１〜１５と同様に、フレーム１０１内に配設されており、レンズ鏡筒としての部品点数を減らすことができ、小型化、薄型化が図れる。
【００７７】
以上の例では、ディジタルスチルカメラを例に説明したが、本発明は、ディジタルビデオカメラにも適用することができ、更には、銀塩のスチルカメラに適用することもできる。
【図面の簡単な説明】
【００７８】
【図１】本発明が適用されたディジタルスチルカメラを正面から見た斜視図であり、レンズカバーが閉められた状態を示す。
【図２】本発明が適用されたディジタルスチルカメラを正面から見た斜視図であり、レンズカバーが開けられた状態を示す。
【図３】本発明が適用されたディジタルスチルカメラの背面図である。
【図４】鏡筒に内蔵されるレンズ系を示す側面図である。
【図５】像ぶれ補正機構の斜視図である。
【図６】像ぶれ補正機構の分解斜視図である。
【図７】像ぶれ補正機構の分解斜視図である。
【図８】図６及び図７を反対側から見た分解斜視図である。
【図９】像ぶれ補正機構の斜視図である。
【図１０】駆動機構の斜視図である。
【図１１】（Ａ）は、第２のガイド軸を支持する支持部を説明するための第２のガイド軸における縦断面図であり、（Ｂ）は、要部拡大図である。
【図１２】移動部材及びレンズホルダ部材が第２の方向の一方に移動した状態を示す縦断面図であり、（Ｂ）は、その要部拡大図である。
【図１３】第１のコイルと第２のコイルと第１及び第２のガイド機構との相対位置関係を示す平面図である。
【図１４】カメラ装置の回路構成を示すブロック図である。
【図１５】カメラ装置の他の回路構成を示すブロック図である。
【図１６】像ぶれ補正機構の制御を行う駆動制御部の回路構成を示すブロック図である。
【図１７】像ぶれ補正機構の他の例の分解斜視図であり、（Ａ）は、全体分解斜視図であり、（Ｂ）は、支持孔の拡大断面図である。
【符号の説明】
【００７９】
１  ディジタルスチルカメラ、２  カメラ本体、３  レンズ部、４  レンズカバー、５  フラッシュ、６  表示部、１０  レンズ鏡筒、１７  補正レンズ、１８  撮像素子、１９  光学フィルタ、２０，１００  像ぶれ補正機構、２１  固定部材、２２  レンズホルダ部材、２３  移動部材、２４  フレーム、２５  レンズ保持部、２６  部品配設部、２７，２８  マグネット、２９  ヨーク、３０  駆動機構、３１  第１のコイル、３２  第２のコイル、３４  プリント配線基板、３５ａ  第１のホール素子、３５ｂ  第２のホール素子、３６  第１のガイド機構、４０  第１の係合片、４１  第２のガイド機構、４２ａ  支持孔、４５  第２の係合片、５１  規制突起、５２  貫通孔、５３  規制孔、６１  第１の凹部、６２  第２の凹部、６３  摺動孔、７１  制御部、７２  記憶部、７３  操作部、７４  表示部、７５  外部メモリ、７６  アナログ信号処理部、７７  デジタル信号処理部、８３  ジャイロセンサ、８４  駆動制御部、９１  像ぶれ補正演算部、９２  アナログサーボ部、９３  駆動回路部
【図１】
2010026399.tif 000003
【図２】
2010026399.tif 000004
【図３】
2010026399.tif 000005
【図４】
2010026399.tif 000006
【図５】
2010026399.tif 000007
【図６】
2010026399.tif 000008
【図７】
2010026399.tif 000009
【図８】
2010026399.tif 000010
【図９】
2010026399.tif 000011
【図１０】
2010026399.tif 000012
【図１１】
2010026399.tif 000013
【図１２】
2010026399.tif 000014
【図１３】
2010026399.tif 000015
【図１４】
2010026399.tif 000016
【図１５】
2010026399.tif 000017
【図１６】
2010026399.tif 000018
【図１７】
2010026399.tif 000019